(57)【要約】      （修正有）【課題】部品を取り外した際にボルト・ネジ跡や部品の一部の部材、空気調和機側の接着剤の剥離痕などが表面に露出したりする問題を改善した着脱が非常に容易であり低コストで環境負荷の低い天井埋込型空気調和機用送風整流具を提供する。【解決手段】天井埋込型空気調和機用送風整流具は、シート状部材からなる構造体であって、天井埋込型空気調和機の一辺の送風口の下部全体を覆うことができる形状の天井と略平行方向であってリードＮと折線でゆるやかな立体構造が形成された送風整流部１と、送風整流部１の２つの短辺近傍に垂直に形成された２つの支持側部２、２′と、各支持側部２、２′の先端に立体加工Ｐ、Ｐ′を施されて天井と空気調和機との間隙に水平に差し込まれる差込固定部３、３′と、各支持側部２、２′の空気調和機に接する部分に形成された略耳型のフラップ４とを備え、空気調和機の直下への直接送風を防ぐ。【選択図】図１
0003230894.tif 000002
【実用新案登録請求の範囲】
【請求項１】
シート状部材からなる構造体であって、
天井埋込型空気調和機の一辺の送風口の下部全体を覆うことができる形状の天井と略平行方向であってリードと折線でゆるやかな上に凸の立体構造が形成された送風整流部と、
前記送風整流部の２つの短辺近傍に垂直に形成された２つの支持側部と、
前記各支持側部の先端に立体加工を施されて天井と空気調和機との間隙に水平に差し込まれる差込固定部と、
前記各支持側部の差込固定部近傍の空気調和機に接する部分に形成された略耳型のフラップと
を備えた空気調和機の直下への直接送風を防ぐための天井埋込型空気調和機用送風整流具。
【請求項２】
前記シート状部材が予め裁断形成された１枚のシートであって、前記送風整流部中央の長軸方向に設けられたリード両端から四方に付された折線を山折りにし、前記２つの支持側部を送風整流部側部側との境界の折線で谷折りにして前記支持側部基部に設けられた接着剤貼付部を介して接着固定し、前記接着剤貼付部上部の折線を山折りにし、前記差込固定部と前記支持側部の境界の折線を山折りにし、前記フラップを谷折りにして組み立てられた構造体である、請求項１記載の天井埋込型空気調和機用送風整流具。
【請求項３】
図２の展開図で示される請求項１又は２記載の天井埋込型空気調和機用送風整流具に用いられるシート状部材。
【考案の詳細な説明】
【技術分野】
【０００１】
本考案は、天井埋込型空気調和機の送風の流れを調整するための外部取付具に関するものであり、特別な工作をすることなく容易に空気調和機に取り付けることができる、形成された平面のシートから組み立てられる構造体に係る。
【背景技術】
【０００２】
オフィスや店舗などの主に業務用に使用される天井埋込型空気調和機は強力な出力を有することから、冷房機能を使用する夏季において空気調和機直下または送風方向にいる人の周囲を過剰に冷却してしまい、人に不快感を与えたり、健康上の問題を生じさせたりすることがある。
【０００３】
そこで、それらを解決するために、これまでに空気調和機の送風口の外部に板状の遮蔽板を天井と並行方向に取り付ける部品が市販されてきた。
これらの既存の部品本体は金属製や樹脂製であって、比較的重量もあることからボルト・ネジや、接着剤・接着シートを用いて空気調和機又は天井に強固に固定するものであった。
【０００４】
しかしながら、このような設置方法を一旦行うと、季節ごとに気軽に遮蔽板部品を取り付けたり、取り外したりすることが簡便ではなかったり、部品を取り外した場合にボルト・ネジ跡や部品の一部の部材、空気調和機側・天井側の接着剤の剥離痕などが表面に露出したりする場合があり、空気調和機のデザイン上も好ましくなく、空気調和機や天井を損傷する恐れがある欠点があった。
また、遮蔽板を固定部品から簡易に取り外す機能を有していたとしても、来季も同じ遮蔽板を取り付けることから、デザインは自ずと長期使用においても飽きの無い無難な選択となる。
【先行技術文献】
【特許文献】
【０００５】
【特許文献１】特開２００４−１３８３６３
【特許文献２】実用新案登録第３１７４２５６号
【特許文献３】実用新案登録第３１９０７１９号
【考案の概要】
【考案が解決しようとする課題】
【０００６】
本考案が解決しようとする課題は、上記の問題点である従来の取付部品の着脱の容易性、部品を取り外した際にボルト・ネジ跡や部品の一部の部材、空気調和機側の接着剤の剥離痕などが表面に露出したりする問題点、長期使用によるデザイン選択性の欠如の問題等であり、これらを改善した低コストで環境負荷の低い天井埋込型空気調和機用送風整流具を提供しようとするものである。
【課題を解決するための手段】
【０００７】
本考案は、シート状部材からなる構造体であって、天井埋込型空気調和機の一辺の送風口の下部全体を覆うことができる形状の天井と略平行方向であってリードと折線でゆるやかな上に凸の立体構造が形成された送風整流部と、前記送風整流部の２つの短辺近傍に垂直に形成された２つの支持側部と、前記各支持側部の先端に立体加工を施されて天井と空気調和機との間隙に水平に差し込まれる差込固定部と、前記各支持側部の差込固定部近傍の空気調和機に接する部分に形成された略耳型のフラップとを備えた空気調和機の直下への直接送風を防ぐための天井埋込型空気調和機用送風整流具である。
【０００８】
また、本考案は、前記シート状部材が予め裁断形成された１枚のシートであって、前記送風整流部中央の長軸方向に設けられたリード両端から四方に付された折線を山折りにし、前記２つの支持側部を送風整流部側部側との境界の折線で谷折りにして前記支持側部基部に設けられた接着剤貼付部を介して接着固定し、前記接着剤貼付部上部の折線を山折りにし、前記差込固定部と前記支持側部の境界の折線を山折りにし、前記フラップを谷折りにして組み立てられた構造体である天井埋込型空気調和機用送風整流具である。
【０００９】
さらに、本考案は、図２の展開図で示される天井埋込型空気調和機用送風整流具に用いられるシート状部材である。
【考案の効果】
【００１０】
本考案の天井埋込型空気調和機用送風整流具は、上記の問題点である従来の取付部品の着脱を、天井と空気調和機との間隙に水平に差込固定部を差し込み・引き抜きすることにより実現でき、格段に容易化した。
これにより、部品を取り外した際にボルト・ネジ跡や部品の一部の部材、空気調和機側の接着剤の剥離痕などが表面に露出したりする既存品の問題点は、解消した。
【００１１】
また、シート状部材には容易にカラー印刷をすることができ、既存品よりも極めて安価であるため、季節ごとの取り外しの際、あるいは部屋の使用目的に応じて、多様なデザインの本願に係る送風整流具を選択し、交換することができる。
【００１２】
シート状部材の素材として紙類の素材を選択することにより、本願考案品の環境持続性は従来の樹脂製の既存品に比べて優れる。
【００１３】
本考案によると、シート状部材を立体的に組み立てることにより、空気調和機の送風に対しても十分な強度を保持しつつ、送風を天井面方向に整流することができるので、部屋全体を効率的に冷却することができるとともに、空気調和機の直下の人の不快感を低減させ、直下から部屋の低〜中層部を比重の重い冷風が拡がることによって生じるウイルスの空気拡散リスクを低減させるための低コストで簡易な対策法を提供できる。
【図面の簡単な説明】
【００１４】
【図１】本考案の送風整流具を示した全体図である。
【図２】本考案の送風整流具の展開図である。
【図３】本考案の送風整流具の正面図である。
【図４】本考案の送風整流具の背面図である。
【図５】本考案の送風整流具の上面図である。
【図６】本考案の送風整流具の底面図である。
【図７】本考案の送風整流具の側面図である。
【図８】本考案の送風整流具を空気調和機に設置した差込部の斜視図である。
【図９】本考案の送風整流具を空気調和機に設置した状態を示す底面図である。
【考案を実施するための形態】
【００１５】
以下、本考案に係る送風整流具について、考案を実施するための形態を図を用いて具体的に説明するが、本考案の要旨は実施例によって限定的に解釈されるべきものではない。
【実施例】
【００１６】
図１は、本考案の送風整流具を示した全体図である。
【００１７】
図２は、本考案の送風整流具の展開図であり、予め裁断および加工形成されるシート状部材の形態を示している。
シート状部材の素材としては、裁断・折り曲げ可能であって、要求される強度を満たすものであればよい。特に紙類である厚紙、ＧフルートやＦフルート等の薄型段ボール素材が好ましいが、ポリプロピレンシートや他の複合材料シートでもよい。カラー印刷に適する素材がより好ましい。
【００１８】
シート状部材は、予め裁断形成された１枚のシートであって、前記送風整流部１の中央の長軸方向のリードＮが凸となるようにリードＮ両端から四方に付された折線５、５′、６、６′を山折りにし、前記２つの支持側部２、２′を送風整流部側部側１ａ、１ａ′との境界の折線７、７′で谷折りにして前記支持側部基部２ａ、２ａ′に設けられた接着剤貼付部Ｍを介して接着固定し、前記接着剤貼付部Ｍの上部の折線８、８′を山折りにし、前記差込固定部と前記支持側部の境界の折線９、９′を山折りにし、前記フラップ４、４′を谷折りにして組み立てて構造体としたものを天井埋込型空気調和機用送風整流具として使用する。
【００１９】
図３ないし図７は図２の展開図で示されたシートを前記の手順で組み立てた送風整流具の立体的形状を示す。
なお、本実施例は、１枚のシートからなる構造体であるが、複数のシートを組み合わせて形成する同一形状の構造体による送風整流具を排除するものではない。
【００２０】
図５の差込固定部３、３′の立体加工形成部Ｐ、Ｐ′には、差込固定部３、３′を天井と空気調和機との間隙に差し込んだ際に、厚紙等のシート素材の厚みよりも広い間隙を埋めて固定するために、オートン打抜機による罫押し、ＣＡＤ面受けよる打抜き加工、エンボス加工、波型加工等の立体加工が施されている。立体加工は複数の棒状、小球状、うろこ状等機能を果たすあらゆる形状から選択できる。
【００２１】
また、図５の送風整流部１の上面には、図８の空気調和機送風口５１から放出される冷風が当たるために垂直方向の強い力がかかる。そこで、送風整流部１の強度を上げるために送風整流部の中央の長軸方向にリードＮを施し、リードＮ部分が上に凸となるようにリードＮ両端から四方に付された折線を山折りに形成した。
【００２２】
図８は、本考案の送風整流具を空気調和機に設置した差込部の斜視図である。
差込固定部３、３′の一端が天井と天井埋込型空気調和機本体５０の間隙に差し込まれていることを示す。
また、フラップ４、４′を天井埋込型空気調和機本体５０に下側に密着させることにより、送風整流部１に受けた風力による縦向きの振動をおさえることができる。
【００２３】
図９は、本考案の送風整流具を空気調和機に設置した状態を示す底面図である。
空気調和機送風口５１を、送風整流部１で覆って、空気調和機の直下への直接送風を防ぐことができる。
【符号の説明】
【００２４】
１  送風整流部
１ａ、１ａ′  送風整流部側部側
２、２′  支持側部
２ａ、２ａ′  支持側部基部
３、３′  差込固定部
４、４′  フラップ
５、５′、６、６′、８、８′、９、９′  折線（山折り）
７、７′  折線（谷折り）
Ｍ  接着剤貼付部
Ｎ  リード（切込み）
Ｐ、Ｐ′  立体加工形成部
５０  天井埋込型空気調和機本体
５１  空気調和機送風口
【図１】
0003230894.tif 000003
【図２】
0003230894.tif 000004
【図３】
0003230894.tif 000005
【図４】
0003230894.tif 000006
【図５】
0003230894.tif 000007
【図６】
0003230894.tif 000008
【図７】
0003230894.tif 000009
【図８】
0003230894.tif 000010
【図９】
0003230894.tif 000011
【手続補正書】
【提出日】令和2年9月7日(2020.9.7)
【手続補正１】
【補正対象書類名】明細書
【補正対象項目名】０００８
【補正方法】変更
【補正の内容】
【０００８】
また、本考案は、前記シート状部材が予め裁断形成された１枚のシートであって、前記送風整流部中央の長軸方向に設けられたリード両端から四方に付された折線を山折りにし、前記２つの支持側部を送風整流部側部側との境界の折線で谷折りにして前記支持側部基部に設けられた接着剤貼付部を介して接着固定し、前記接着剤貼付部上部の折線を山折りにし、前記差込固定部と前記支持側部の境界の折線を谷折りにし、前記フラップを谷折りにして組み立てられた構造体である天井埋込型空気調和機用送風整流具である。
【手続補正２】
【補正対象書類名】明細書
【補正対象項目名】００１８
【補正方法】変更
【補正の内容】
【００１８】
シート状部材は、予め裁断形成された１枚のシートであって、前記送風整流部１の中央の長軸方向のリードＮが凸となるようにリードＮ両端から四方に付された折線５、５′、６、６′を山折りにし、前記２つの支持側部２、２′を送風整流部側部側１ａ、１ａ′との境界の折線７、７′で谷折りにして前記支持側部基部２ａ、２ａ′に設けられた接着剤貼付部Ｍを介して接着固定し、前記接着剤貼付部Ｍの上部の折線８、８′を山折りにし、前記差込固定部と前記支持側部の境界の折線９、９′を谷折りにし、前記フラップ４、４′を谷折りにして組み立てて構造体としたものを天井埋込型空気調和機用送風整流具として使用する。
【手続補正３】
【補正対象書類名】明細書
【補正対象項目名】００２４
【補正方法】変更
【補正の内容】
【００２４】
１  送風整流部
１ａ、１ａ′  送風整流部側部側
２、２′  支持側部
２ａ、２ａ′  支持側部基部
３、３′  差込固定部
４、４′  フラップ
５、５′、６、６′、８、８′  折線（山折り）
７、７′、９、９′  折線（谷折り）
Ｍ  接着剤貼付部
Ｎ  リード（切込み）
Ｐ、Ｐ′  立体加工形成部
５０  天井埋込型空気調和機本体
５１  空気調和機送風口
【手続補正４】
【補正対象書類名】実用新案登録請求の範囲
【補正対象項目名】請求項２
【補正方法】変更
【補正の内容】
【請求項２】
前記シート状部材が予め裁断形成された１枚のシートであって、前記送風整流部中央の長軸方向に設けられたリード両端から四方に付された折線を山折りにし、前記２つの支持側部を送風整流部側部側との境界の折線で谷折りにして前記支持側部基部に設けられた接着剤貼付部を介して接着固定し、前記接着剤貼付部上部の折線を山折りにし、前記差込固定部と前記支持側部の境界の折線を谷折りにし、前記フラップを谷折りにして組み立てられた構造体である、請求項１記載の天井埋込型空気調和機用送風整流具。
【手続補正書】
【提出日】令和2年10月15日(2020.10.15)
【手続補正１】
【補正対象書類名】実用新案登録請求の範囲
【補正対象項目名】全文
【補正方法】変更
【補正の内容】
【実用新案登録請求の範囲】
【請求項１】
シート状部材からなる構造体であって、
天井埋込型空気調和機の一辺の送風口の下部全体を覆うことができる形状の天井と略平行方向であってリードと折線でゆるやかな上に凸の立体構造が形成された送風整流部と、
前記送風整流部の２つの短辺近傍に垂直に形成された２つの支持側部と、
前記各支持側部の先端に立体加工を施されて天井と空気調和機との間隙に水平に差し込まれる差込固定部と、
前記各支持側部の差込固定部近傍の空気調和機に接する部分に形成された略耳型のフラップと
を備えた空気調和機の直下への直接送風を防ぐための天井埋込型空気調和機用送風整流具。
【請求項２】
前記シート状部材が予め裁断形成された１枚のシートであって、前記送風整流部中央の長軸方向に設けられたリード両端から四方に付された折線を山折りにし、前記２つの支持側部を送風整流部側部側との境界の折線で谷折りにして前記支持側部基部に設けられた接着剤貼付部を介して接着固定し、前記接着剤貼付部上部の折線を山折りにし、前記差込固定部と前記支持側部の境界の折線を谷折りにし、前記フラップを谷折りにして組み立てられた構造体である、請求項１記載の天井埋込型空気調和機用送風整流具。